(57)【要約】【課題】電話機の美形を生かして楽しめ、尚、遊び心の要素を付加できる簡素構造の、バッグの取っ手、及び、腰部へ装着させるホルダーと、又、ズボン等の着衣の外側から見えない滑落防止方法を得る。【解決手段】収納物が半身出し状態となる深さで、中身が見える粗目、又は、透明性のカゴ型の収納ケースとし、紐通し孔を備えた装着用面版に合体させる第一手段と、錘付きの紐と連結された頭部が常に直立状態となる小動物等の人形を、装着用面版へ吊るす第ニ手段を備え、電話機収納と兼用することを特徴とするカゴ型ホルダーとして、又、滑落防止はズボン等の内側にベルト通し環を複数取付け、装着用面版と内蔵ベルト、又は、着衣の内側で胴縁へ下方から引掛ける式で、柔性と剛性を合わせ持つ連結帯を着脱させる。【選択図】　図１
2004065491.tif 000002
【特許請求の範囲】
【請求項１】
収納物が半身出し状態となる深さで、中身が見える構造の収納ケースを、装着用面版に合体させ、携帯電話機と人形等の収納を兼用することを特徴とするカゴ型ホルダーと、又、ズボン等の内側にベルト通し環を複数取付け、装着用面版と内蔵ベルトを連結させる。又は、胴縁内側へ引掛ける式の滑落防止方法。
【請求項２】
図２の如く、透明保持リング：１と、透明帯：２、止めリング：３で構成された収納ケースを装着用面版：４へ、リング：５と、リング：６で固着する構造の電話機用ホルダーとし、又、人形：７の背面に、ツマミリング：８付きの細紐：９を連結し、装着用面版：４の紐通し孔に吊るして直立状態で遊動させる。又、滑落防止は連結環：１０、連結帯（ａ）：１１をベルト通し環：１３に装着された内蔵ベルト：１２へ着脱する方法：Ａ、又は、連結環：１０へ、薄板：１５を取付けた連結帯（ｂ）：１４を胴縁へ内側から引掛ける方法：Ｂを利用する。
【発明の詳細な説明】
【０００１】
【発明の属する技術分野】
カゴ型ホルダーと滑落防止方法に関する。
【０００２】
【従来の技術】
従来の携帯電話機ホルダーは実用性を主体とするケース式で、覆い隠すことを主としている。装着方法は着衣の外側で、腰ベルト等へ引掛ける式が一般的である。
【０００３】
【発明が解決しようとする課題】
電話機の美形を生かして楽しめ、尚、遊び心的要素を容易に付加できる簡素構造のバッグの取っ手、及び、腰部へ装着させるホルダーと、又、ズボン等の着衣の外側から見えない滑落防止方法を得る。
【０００４】
【課題を解決するための手段】
収納物が半身出し状態となる深さで、中身が見える粗目、又は、透明性のカゴ型の収納ケースとし、紐通し孔を備えた装着用面版に合体させる第一手段と、錘付きの紐と連結された頭部が常に直立状態となる小動物等の人形を、装着用面版へ吊るす第ニ手段を備え、電話機収納と兼用することを特徴とするカゴ型ホルダーとして、又、滑落防止はズボン等の内側にベルト通し環を複数取付け、装着用面版と内蔵ベルト、又は、着衣の内側で胴縁へ下方から引掛ける式で、柔性と剛性を合わせ持つ連結帯を着脱させる。
【０００５】
【発明の実施の形態】
中身を見て楽しむため、収納物が剥き出し状態となる、最少単位の保持環と保持ベルトを基本とする粗目のカゴ、又は、透けて見える材質を使用し、尚、携帯電話機が半身出し状態となる深さの収納ケースとする。又、遊び心的要素の付加は、装着用面版を背景として利用し、組み合わせを楽しむ構造とするため、交換可能な合体式とする。更に、小動物等の人形がサークル周りで、直立状態で立体的に遊ぶ赤ちゃんを連想させるため、装着用面版に紐通し孔を設け、細紐の端部へ錘を兼ねたツマミを付加して、孔と紐の摩擦に依る制動作用を利用して、任意の位置に設定し、吊るして遊動させる。又、バッグの取っ手、及び、腰部の両者へ装着させるため、装着用面版を折りたたみ式の形態とし、紐、リング、ベルト等の通し環とする。ズボン等の胴縁上で電話機の重さを支え、型崩れを防ぐため、又、滑落防止とするため、剛性の連結環と、身体に馴染む柔軟性の連結帯端部へ引掛け部を設け、ズボン等の内側にベルト通し環を設け、そのベルトへ着脱させる。又は、連結帯より広幅の薄板を引掛ける形態として、胴縁の内部へ着脱させる。
尚、ケース上に電話機のストラップを着脱するための止めリングを取付ける。
【０００６】
【実施例】
図１は基本構成を示す横断面図であり、収納ケース：Ａを装着用面版：Ｂに固定具：Ｃで合体させる。滑落防止は、胴縁を介して連結用帯：Ｄを、ズボンの内側に取付けたベルト通し環：Ｅの内蔵ベルト：Ｆへ引掛ける状態で装着させている。
【０００７】
又、図２は（請求項２）を説明する正面斜視図であり、図３は横断面図である。両図において、一本の透明保持リング：１と、一本の透明帯：２、電話機着脱用の止めリング：３からなる収納ケースを装着用面版：４へ、リング：５と、リング：６で固着する構造の電話機用ホルダーとし、又、人形：７の背面に、ツマミリング：８付きの細紐：９を連結し、装着用面版：４の紐通し孔に吊るして直立状態で遊動させる。又、滑落防止は連結環：１０、端部を折り返した連結帯（ａ）：１１をベルト通し環：１３に装着された内蔵ベルト：１２へ着脱する方法：Ａ、又は、連結環：１０へ、薄板：１５を取付けた連結帯（ｂ）：１４を胴縁へ内側から引掛ける方法：Ｂを利用する。
【０００８】
図４は、ズボンの内側を示す正面斜視図であり、ベルト用通し環：１３を取付けている。図５は、電話機が収納され、人形が外部へ吊られている状態を示している。図６は、面版から吊られた人形が、収納されている状態を示している。
【０００９】
図７と、図８は、装着用面版と収納ケースの関係の応用例で、図中（ア）、（イ）、（ウ）、（エ）、で示している。
【００１０】
【発明の効果】中身が見える構造のため、収納された電話機の美形を生かして表現でき、又、電話機を収容しない時にも、サークル内で吊るせば戯れる小動物として表現できる。装着用面版は背景としても利用するため、又、交換が容易な合体式であるため、その時々の流行のキャラクター物、絵柄を容易に反映させることが出来、実用と遊び心的要素の両者を兼ね備えることになる。更に、腰ベルト、ハンドバッグでの兼用が容易である。
【００１１】
又、滑落防止としての内蔵ベルトへホルダーを引掛ける式は表側で見えず、装着移動の範囲が大となり、確実である。簡素構造の嵩張らないホルダーと、内蔵ベルト用のベルト通し環の取付けは簡単に衣服類の広い範囲に付加価値を補足することが出来る。収納ケースは簡素構造の為、容易に着衣、携行用品に取付けられ、邪魔にならない。依って、人形、衣服、ベルト、バッグメーカー等の商品価値を高められ、新しい分野として寄与できる。更に広範囲のデザインが得られ、装着用面版の材質、形状次第で宝飾的分野にも発展させることが出来る。更に、新しい分野の玩具としても応用できる。
【図面の簡単な説明】
【図１】基本構成を示す横断面図
【図２】（請求項２）を説明する正面斜視図
【図３】（請求項２）を説明する横断面図
【図４】内蔵ベルト用通し環を取付けた、ズボン内側を示す正面斜視図
【図５】装着用ベルトを取付けた、電話機収納時の使用例を示す正面斜視図
【図６】装着用リングを取付けた、人形収納時の使用例を示す正面斜視図
【図７】装着用面版と収納ケースの関係を示す応用例（ア）、（イ）
【図８】装着用面版と収納ケースの関係を示す応用例（ウ）、（エ）
【符号の説明】（図１）における、収納ケース：Ａ、装着用面版：Ｂ、固定具：Ｃ、連結帯：Ｄ、内蔵ベルトＥ：、ベルト通し環：Ｆ。（図２）における、透明保持リング：１、透明帯：２、止めリング：３、装着用面版：４、リング：５、リング：６、人形：７、ツマミリング：８、細紐：９、連結環：１０、連結帯（ａ）：１１、内蔵ベルト：１２、ベルト通し環：１３、連結帯（ｂ）：１４、薄板：１５
【図１】
2004065491.tif 000003
【図２】
2004065491.tif 000004
【図３】
2004065491.tif 000005
【図４】
2004065491.tif 000006
【図５】
2004065491.tif 000007
【図６】
2004065491.tif 000008
【図７】
2004065491.tif 000009
【図８】
2004065491.tif 000010